(57)【要約】【課題】スケジュールで制御するビル設備を容易に選択することができるビル設備の管理装置を提供する。【解決手段】ビル設備１の制御に関するスケジュールの情報を記憶したスケジュール情報記憶手段１０と、ビル設備１の位置に関する情報を記憶した位置情報記憶手段１１ａと、ビル設備１を示す記号をビル設備１の位置に対応させて表示装置８に表示させる表示制御手段１１ｂと、表示装置８にビル設備１を示す記号が表示されているときに、入力装置７により所定の操作がなされた場合に、表示装置８に表示された記号に対応したビル設備１をスケジュールで制御するビル設備１として選択する選択手段１１ｃと、を備えた。【選択図】図１
2013025337.tif 000002
【特許請求の範囲】
【請求項１】
ビル設備の制御に関するスケジュールの情報を記憶したスケジュール情報記憶手段と、
ビル設備の位置に関する情報を記憶した位置情報記憶手段と、
ビル設備を示す記号をビル設備の位置に対応させて表示装置に表示させる表示制御手段と、
前記表示装置にビル設備を示す記号が表示されているときに、入力装置により所定の操作がなされた場合に、前記表示装置に表示された記号に対応したビル設備を前記スケジュールで制御するビル設備として選択する選択手段と、
を備えたことを特徴とするビル設備の管理装置。
【請求項２】
前記表示制御手段は、ビル設備の各々を示す記号をビル設備の各々の位置に対応させて前記表示装置に表示させ、
前記選択手段は、前記入力装置により前記表示装置の画面上の位置が指定された際に、指定された位置に表示されている記号に対応したビル設備を前記スケジュールで制御するビル設備として選択することを特徴とする請求項１記載のビル設備の管理装置。
【請求項３】
前記選択手段は、前記入力装置により前記表示装置の画面上の範囲が指定された際に、
指定された範囲に複数のビル設備を示す記号が表示されている場合は、当該複数の記号の各々に対応した複数のビル設備の各々を前記スケジュールで制御するビル設備として選択することを特徴とする請求項２記載のビル設備の管理装置。
【請求項４】
前記位置情報記憶手段は、ビル設備の位置に関する情報を、当該ビル設備が設置された領域を示すグラフィック画面に関する情報に対応付けて記憶し、
前記表示制御手段は、ビル設備を示す記号を対応するグラフィック画面とともに前記表示装置に表示させ、
前記選択手段は、前記入力装置によりグラフィック画面が指定された際に、指定されたグラフィック画面に表示された記号に対応したビル設備の全てを前記スケジュールで制御するビル設備として選択することを特徴とする請求項１〜請求項３のいずれかに記載のビル設備の管理装置。
【請求項５】
前記選択手段は、前記位置情報記憶手段に新たなビル設備の位置に関する情報がグラフィック画面に関する情報に対応付けて記憶された場合に、当該新たなビル設備を前記スケジュールで制御するビル設備として選択することを特徴とする請求項４記載のビル設備の管理装置。
【請求項６】
前記位置情報記憶手段は、ビル設備の位置に関する情報を、ビル設備の属性毎に当該ビル設備が設置された領域を示すグラフィック画面に関する情報に対応付けて記憶し、
前記表示制御手段は、ビル設備を示す記号を、ビル設備の属性毎にグラフィック画面とともに前記表示装置に表示させ、
前記選択手段は、前記入力装置によりビルの属性が指定された際に、指定された属性のビル設備の全てを前記スケジュールで制御するビル設備として選択することを特徴とする請求項１〜請求項５のいずれかに記載のビル設備の管理装置。
【発明の詳細な説明】
【技術分野】
【０００１】
この発明は、ビル設備の管理装置に関するものである。
【背景技術】
【０００２】
ビル設備の管理装置は、設定されたスケジュールによってビル設備を制御する。この際、リスト形式で一覧表示されたビル設備の名称を指定することで、スケジュールで制御するビル設備が選択される（例えば、特許文献１参照）。
【先行技術文献】
【特許文献】
【０００３】
【特許文献１】特開平８−２５６３８５号公報
【発明の概要】
【発明が解決しようとする課題】
【０００４】
しかしながら、一覧表示されたビル設備の名称からビル設備の位置を直感で認識することは難しい。このため、ビル設備を正しく選択したのかを確認する必要がある。例えば、実際のビル設備の動作を確認する等の作業が必要になる。
【０００５】
この発明は、上述のような課題を解決するためになされたもので、その目的は、スケジュールで制御するビル設備を容易に選択することができるビル設備の管理装置を提供することである。
【課題を解決するための手段】
【０００６】
この発明に係るビル設備の管理装置は、ビル設備の制御に関するスケジュールの情報を記憶したスケジュール情報記憶手段と、ビル設備の位置に関する情報を記憶した位置情報記憶手段と、ビル設備を示す記号をビル設備の位置に対応させて表示装置に表示させる表示制御手段と、前記表示装置にビル設備を示す記号が表示されているときに、入力装置により所定の操作がなされた場合に、前記表示装置に表示された記号に対応したビル設備を前記スケジュールで制御するビル設備として選択する選択手段と、を備えたものである。
【発明の効果】
【０００７】
この発明によれば、スケジュールで制御するビル設備を容易に選択することができる。
【図面の簡単な説明】
【０００８】
【図１】この発明の実施の形態１におけるビル設備の管理装置を利用したシステムのブロック図である。
【図２】この発明の実施の形態１におけるビル設備の管理装置によって制御される空調設備のスケジュールを説明するための図である。
【図３】この発明の実施の形態１におけるビル設備の管理装置のブロック図である。
【図４】この発明の実施の形態１におけるビル設備の管理装置の表示装置の正面図である。
【図５】この発明の実施の形態１におけるビル設備の管理装置の動作を説明するためのフローチャートである。
【発明を実施するための形態】
【０００９】
この発明を実施するための形態について添付の図面に従って説明する。なお、各図中、同一又は相当する部分には同一の符号を付しており、その重複説明は適宜に簡略化ないし省略する。
【００１０】
実施の形態１．
図１はこの発明の実施の形態１におけるビル設備の管理装置を利用したシステムのブロック図である。
【００１１】
図１において、１はビル設備である。ビル設備１は、ビルに設けられる。ビル設備１は、受変電設備２、空調設備３、照明設備４等からなる。受変電設備２は、各居室に設けられる。空調設備３は、複数の空調機を備える。複数の空調機は、各居室に設けられる。照明設備４は、複数の照明を備える。複数の照明は、各居室に設けられる。各居室への入退室を管理するセキュリティシステムにおいては、扉（図示せず）の電気錠（図示せず）もビル設備１となる。
【００１２】
５は温度センサである。温度センサ５は、各居室に設けられる。６は組み込み式のコントローラである。コントローラ６は、受変電設備２、空調設備３、照明設備４、温度センサ５に対応して設けられる。コントローラ６は、電気パイプスペースに設けられる。なお、空調設備３のコントローラ６は、各階の壁に埋め込まれる場合もある。また、空調設備３のコントローラ６は、各階の天井裏に設置される場合もある。
【００１３】
７は入力装置である。入力装置７は、例えば、キーボードやマウスからなる。８は表示装置である。表示装置８は、例えば、液晶ディスプレイからなる。入力装置７と表示装置８とは、ビルの管理人室（図示せず）等に設けられる。入力装置７と表示装置８とは、管理装置９に接続される。管理装置９は、ＬＡＮやインターネットを介してコントローラ６と接続される。
【００１４】
このようなシステムにおいては、温度センサ５が各居室の温度を測定する。受変電設備２が各居室の電力使用量を測定する。管理装置９は、各居室の温度や電力使用量に基づいて、空調設備３や照明設備４を監視制御する。セキュリティシステムの場合は、管理装置９は、扉の電気錠を監視制御する。ビル設備１の異常等、監視制御の状態は、表示装置８に表示される。ビル設備１のスケジュール等の設定は、入力装置７により行われる。
【００１５】
次に、図２を用いて、空調設備３を制御する際のスケジュールを説明する。
図２はこの発明の実施の形態１におけるビル設備の管理装置によって制御される空調設備のスケジュールを説明するための図である。
【００１６】
図２のスケジュールは、空調設備３の中の第１空調機のスケジュールである。当該スケジュールは、ビルの使用態様に対応させる。その結果、当該スケジュールは、曜日毎に異なる。
【００１７】
例えば、月曜日においては、７時に、第１空調機の運転が開始される。具体的には、運転モードが冷房に設定される。このときの設定温度は２７度である。その後、１０時に、設定温度が２８度に変更される。その後、１２時に、第１空調機の運転が停止される。その後、１３時に、第１空調機の運転が再開される。具体的には、運転モードが冷房に設定される。このときの設定温度は２７度である。その後、１５時に、設定温度が２８度に変更される。その後、１７時に、第１空調機の運転モードが送風に変更される。その後、１９時に、第１空調機の運転が停止される。
【００１８】
火曜日〜木曜日のスケジュールは、月曜日の設定と同様である。このため、説明を省略する。金曜日においては、１５時までは、月曜日のスケジュールと同様である。しかし、１７時に、運転モードが送風に変更されることなく、第１空調機の運転が停止される点で、月曜日のスケジュールと相違する。土曜日及び日曜日においては、１２時までは、月曜日から金曜日までのスケジュールと同様である。しかし、その後は、停止した状態を維持する点で、月曜日から金曜日までのスケジュールと相違する。
【００１９】
その他の空調機も設定されたスケジュールで制御される。照明設備４や電気錠も設定されたスケジュールで制御される。例えば、平日の８時までは、電気錠は施錠状態となる。平日の８時以降は、電気錠は解錠状態となる。休日においては、電気錠は終日施錠状態となる。
【００２０】
空調機のスケジュールは、季節やビルの電力使用量等によって変更される。また、ビル設備１の増設、撤去、移設等に伴って、当該ビル設備１のスケジュールが変更される場合もある。また、居室の間仕切りを変更する場合も、ビル設備１のスケジュールが変更される。例えば、居室の一部を会議室に変更する場合、会議室の領域のビル設備１に対し、スケジュールが変更される。また、テナントの変更により居室の間仕切りを変更する場合は、各テナントの領域のビル設備１に対し、スケジュールが変更される。
【００２１】
次に、図３を用いて、管理装置９を具体的に説明する。
図３はこの発明の実施の形態１におけるビル設備の管理装置のブロック図である。
【００２２】
管理装置９は、スケジュール情報記憶手段１０、登録手段１１を備える。スケジュール情報記憶手段１０は、ビル設備１の制御に関するスケジュールの情報を記憶する機能を備える。登録手段１１は、スケジュール情報記憶手段１０に記憶されたスケジュールで制御するビル設備１を登録する機能を備える。
【００２３】
登録手段１１は、位置情報記憶手段１１ａ、表示制御手段１１ｂ、選択手段１１ｃを備える。位置情報記憶手段１１ａは、ビル設備１の位置に関する情報を、当該ビル設備１が設置された領域を示すグラフィック画面に関する情報に対応付けて記憶する機能を備える。表示制御手段１１ｂは、ビル設備１を示す記号（シンボル）を対応するグラフィック画面とともに表示装置８に表示させる機能を備える。選択手段１１ｃは、入力装置７の操作内容に基づいて、スケジュールで制御するビル設備１を選択する機能を備える。
【００２４】
次に、図４を用いて、設定されたスケジュールで制御するビル設備１を登録する方法を説明する。
図４はこの発明の実施の形態１におけるビル設備の管理装置の表示装置の正面図である。
【００２５】
図４に示すように、表示装置８の左側には、操作画面として、３階ＸＸＸ居室のグラフィック画面が表示される。グラフィック画面には、複数の空調機を示す記号が実際の空調機の位置に対応して表示される。この際、各記号とともに各空調機の名称も表示される。表示装置８の右側には、制御対象設備に関する情報が表示される。具体的には、設定されたスケジュールで制御する空調機の信号ＩＤと信号名称とが対応付けて並んで表示される。グラフィック画面と制御対象設備に関する情報との間には、「追加」ボタンが表示される。
【００２６】
ここで、設定されたスケジュールで制御するビル設備１として、北空調機を登録する場合を考える。この場合、グラフィック画面上で北空調機の位置に表示された記号をマウスでクリックすれば、北空調機が選択される。このとき、北空調機の位置に表示された記号を囲むように四角の枠が表示される。この状態で、「追加」ボタンをマウスでクリックすれば、設定されたスケジュールで制御するビル設備１として、北空調機が登録される。すなわち、制御対象設備に関する情報の欄に、北空調機の信号ＩＤと信号名称とが対応付けて表示される。
【００２７】
なお、マウスをドラッグすれば、表示装置８の画面上の範囲が指定される。この場合、指定された範囲内に複数の記号が表示されている場合は、複数の記号が選択される。この状態で、「追加」ボタンをクリックすれば、設定されたスケジュールで制御するビル設備１として、指定された記号に対応した複数のビル設備１が登録される。
【００２８】
また、各居室のグラフィック画面には、画面番号が対応付けられている。入力装置７により画面番号が入力されると、選択手段１１ｃは、当該画面番号を登録する。この際、選択手段１１ｃは、設定されたスケジュールで制御するビル設備１として、当該画面番号に対応したグラフィック画面に表示される記号の全てに対応したビル設備１を登録する。この状態で、新たなビル設備１の位置に関する情報が当該グラフィック画面に対応付けて記憶されると、当該ビル設備１も、設定されたスケジュールで制御するビル設備１として自動的に登録される。
【００２９】
次に、図５を用いて、ビル設備１の制御方法を説明する。
図５はこの発明の実施の形態１におけるビル設備の管理装置の動作を説明するためのフローチャートである。
【００３０】
まず、ステップＳ１では、管理装置９は、現在時刻がスケジュールによる制御時刻か否かを判断する。現在時刻がスケジュールによる制御時刻でない場合は、ステップＳ１が繰り返される。現在時刻がスケジュールによる制御時刻の場合は、ステップＳ２に進む。
【００３１】
ステップＳ２では、管理装置９は、当該スケジュールに対応して、グラフィック画面の画面番号が登録されているか否かを判断する。当該スケジュールに対応して、グラフィック画面の画面番号が登録されていない場合は、ステップＳ３に進む。ステップＳ３では、管理装置９は、当該スケジュールで制御するビル設備１が登録されているか否かを判断する。当該スケジュールで制御するビル設備１が登録されていない場合は、ステップＳ１に戻る。
【００３２】
ステップＳ２で、当該スケジュールに対応して、グラフィック画面の画面番号が登録されている場合は、ステップＳ４に進む。ステップＳ４では、管理装置９は、登録されている画面番号に対応したグラフィック画面上の全てのビル設備１のコントローラ６に当該スケジュールに沿った制御信号を出力する。この制御信号に基づいて、コントローラ６は、対応するビル設備１を制御する。その後、ステップＳ３に進む。
【００３３】
ステップＳ３で、当該スケジュールで制御するビル設備１が登録されている場合は、ステップＳ５に進む。ステップＳ５では、管理装置９は、登録されている設備１のコントローラ６に当該スケジュールに沿った制御信号を出力する。この制御信号に基づいて、コントローラ６は、対応するビル設備１を制御する。その後、ステップＳ１に戻る。
【００３４】
なお、ステップＳ２の画面番号の登録の確認とステップＳ３のビル設備１の登録の確認との順番が入れ替わる設定の場合もある。
【００３５】
以上で説明した実施の形態１によれば、入力装置７により所定の操作がなされた場合に、表示装置８に表示された記号に対応したビル設備１がスケジュールで制御するビル設備１として選択される。例えば、グラフィック画面上の記号をマウスでクリックすれば、当該記号に対応したビル設備１が選択される。このため、スケジュールで制御するビル設備１を直感的、視覚的に容易に選択することができる。すなわち、制御対象の誤登録を防止できる。
【００３６】
特に、居室の間仕切りが変更される場合は、ビル設備１のスケジュールの変更作業が伴う。この場合、本実施の形態の管理装置９によれば、仕切られた領域に対応するように、スケジュールで制御するビル設備１を容易に正しく登録することができる。
【００３７】
また、マウスのドラッグにより、指定された範囲内の記号が選択される。このため、簡単な操作で複数のビル設備１を一度に選択することができる。
【００３８】
また、グラフィック画面の画面番号の登録により、当該画面番号に対応したグラフィック画面に表示される記号の全てに対応したビル設備１が選択される。このため、簡単な操作で複数のビル設備１を一度に選択することができる。
【００３９】
この場合、新たなビル設備１の位置に関する情報が当該グラフィック画面に対応付けて記憶されると、当該ビル設備１も、設定されたスケジュールで制御するビル設備１として登録される。このため、ビル設備１の更新に容易に対応できる。
【００４０】
なお、各居室のビル設備１の属性毎にグラフィック画面を作成してもよい。この場合、空調機のグラフィック画面の画面番号を指定すれば、設定されたスケジュールで制御すべきビル設備１として、空調機のみを選択することができる。
【００４１】
照明設備４においては、蛍光灯とＬＥＤとを互いに別の属性としてもよい。この場合、蛍光灯のスケジュールとＬＥＤのスケジュールを容易に区別することができる。すなわち、多少暗くてもよい場所にＬＥＤを設置して終日点灯させておき、蛍光灯を居室の利用時間に合わせて制御することもできる。
【００４２】
また、登録されたビル設備１を示す記号を当該ビル設備１の位置に対応させてグラフィック画面上に表示させてもよい。また、登録されたビル設備１を示す記号と登録されていないビル設備１とを異なる表示形態で同一のグラフィック画面上に表示させてもよい。この場合、登録されたビル設備１も直感的に確認することができる。
【符号の説明】
【００４３】
１  ビル設備
２  受変電設備
３  空調設備
４  照明設備
５  温度センサ
６  コントローラ
７  入力装置
８  表示装置
９  管理装置
１０  スケジュール情報記憶手段
１１  登録手段
１１ａ  位置情報記憶手段
１１ｂ  表示制御手段
１１ｃ  選択手段
【図１】
2013025337.tif 000003
【図２】
2013025337.tif 000004
【図３】
2013025337.tif 000005
【図４】
2013025337.tif 000006
【図５】
2013025337.tif 000007